(57)【特許請求の範囲】
【請求項１】
器体内の所定位置に固定される固定接点及び固定接点に接離する可動接点からなる接点部と、可動接点が設けられる可動接触子と、可動接触子に弾接されて可動接点が固定接点から離間する開極方向の付勢力を可動接触子に与える開極ばねと、器体に回動自在に取り付けられ接点部の開閉操作に用いられるハンドルと、ハンドルに回動自在に取り付けられるハンドルリンク及び一端側がハンドルリンクに回動自在に取り付けられるとともに他端側が可動接触子に回動自在に取り付けられる連結リンクを有し、ハンドルの操作に応じて可動接触子を移動させて接点部を開閉する連結部と、ハンドルに回動自在に取り付けられ、ハンドルが接点部を閉じる位置に位置している際に、可動接触子が開極ばねの付勢力によって開極方向に移動しないように開極ばねの付勢力を受けるトリップリンクと、トリップリンクが開極ばねの付勢力に従って移動しないようにトリップリンクの移動を規制するラッチリンクと、異常電流を検出した際にラッチリンクによるトリップリンクの移動規制を解除して、開極ばねの付勢力によって可動接触子を開極方向へ移動させるトリップ動作を行わせるトリップ機構部と、トリップ動作が行われた際に、器体に設けられた表示孔にトリップ動作が行われたことを表示するトリップ表示部材とを備え、トリップ表示部材は、器体に設けられた支持部に、可動接点が固定接点に接離する方向にスライド移動自在に支持される被支持部と、開極方向においてトリップリンクに対向配置され、トリップリンクが開極ばねの付勢力により開極方向に移動した際に、トリップリンクによって開極方向に押圧されて、トリップ表示部材を開極方向に移動させるトリップ駆動片と、可動接触子が可動接点を固定接点に接触させるように移動する閉極方向において可動接触子に対向配置され、可動接触子が閉極方向に移動した際に、可動接触子によって閉極方向に押圧されて、トリップ表示部材を閉極方向に移動させる復帰駆動片と、トリップ表示部材が開極方向に移動した際に、表示孔から器体外部に臨むように移動されて表示孔にトリップ動作が行われたことを表示し、トリップ表示部材が閉極方向に移動した際に、表示孔から器体外部に臨まないように移動される表示部とを備えていることを特徴とする回路遮断器。
【請求項２】
トリップ表示部材は、表示部が表示孔から器体外部に臨んでいない状態では、連結リンクにおける閉極方向側の部位に当接し、表示部が表示孔から器体外部に臨んでいる状態では、連結リンクにおける開極方向側の部位に当接し、トリップ動作時又はハンドルによる接点のオンオフ操作時には、連結リンクとの当接状態が解除される移動規制手段を備えていることを特徴とする請求項１に記載の回路遮断器。
【請求項３】
器体の支持部は、トリップ表示部材の被支持部をそのスライド方向に直交する方向から挟み込む一対の支持リブからなり、トリップ表示部材は、被支持部と所定間隔を隔てて平行するように設けられるとともに、各支持リブを被支持部とで狭持する係止爪部を有する一対の弾性片を備え、一対の支持リブにおいて被支持部と当接しない面には、一対の弾性片の係止爪部をそれぞれ係止する係止突起が設けられ、各係止突起は、表示部が表示孔から器体外部に臨んでいない状態では、閉極方向側の部位が係止爪部に当接し、表示部が表示孔から器体外部に臨んでいる状態では、開極方向側の部位が係止爪部に当接するように構成され、一対の弾性片は、トリップ駆動片又は復帰駆動片によりトリップ表示部材が移動される際に、係止爪部が係止突起を乗り越え可能な程度の弾性を有していることを特徴とする請求項１又は２に記載の回路遮断器。
【発明の詳細な説明】
【技術分野】
【０００１】
本発明は、ハンドルの操作により接点部を開閉駆動し、短絡電流や過電流等の異常電流が流れた際に接点を強制的に開極する回路遮断器に関するものである。
【背景技術】
【０００２】
この種の回路遮断器としては、特許文献１に示すものが提供されている。特許文献１に示す回路遮断器は、器体から回動操作可能に突出する操作ハンドルと、操作ハンドルの回動操作により接点部を開閉する開閉機構と、接点部に消費電力オーバーによる過電流や短絡による大電流が流れると接点部を強制開極するトリップ動作を行う引き外し機構とを備えるとともに、トリップ動作を行った際に、器体の表示窓に「短絡」という文字を表示してトリップ動作を行ったことを知らせるための板材からなる短絡表示手段とを備えている。
【特許文献１】特開２００４−２９６１２８号公報（段落番号〔００８１〕〜〔００８３〕、及び図３，図４参照）
【発明の開示】
【発明が解決しようとする課題】
【０００３】
上記の特許文献１の回路遮断器では、トリップ動作を行った際に、表示窓に「短絡」という文字が表示されるため、過電流や大電流等によって接点が開極されている状態と、単に操作ハンドルにより接点を開極させた状態とを間違ってしまうことがなく、これにより短絡等によって開極されているにもかかわらず、操作ハンドルを用いて接点を閉極してしまうといったことを防止することができていた。
【０００４】
しかしながら、特許文献１の短絡表示手段は、巻きばねにより付勢力を常に受けた状態で器体内に収納されているため、回路遮断器を組み立てる際に、巻きばねを短絡表示手段と器体の両者に引っ掛けた状態で、他の部品の器体への組み込み等を行わなければならず、この場合、不意に巻きばねの付勢力によって短絡表示手段や他の部品が弾かれたり、巻きばね自身が器体から脱落したりするおそれがあり、非常に組立性が悪いという問題があった。
【０００５】
本発明は上述の点に鑑みて為されたもので、その目的は、トリップ動作を行った際に、トリップ動作が行われたことを示す表示を行えるとともに、組立性を向上できる回路遮断器を提供することにある。
【課題を解決するための手段】
【０００６】
上述の課題を解決するために、請求項１の回路遮断器の発明では、器体内の所定位置に固定される固定接点及び固定接点に接離する可動接点からなる接点部と、可動接点が設けられる可動接触子と、可動接触子に弾接されて可動接点が固定接点から離間する開極方向の付勢力を可動接触子に与える開極ばねと、器体に回動自在に取り付けられ接点部の開閉操作に用いられるハンドルと、ハンドルに回動自在に取り付けられるハンドルリンク及び一端側がハンドルリンクに回動自在に取り付けられるとともに他端側が可動接触子に回動自在に取り付けられる連結リンクを有し、ハンドルの操作に応じて可動接触子を移動させて接点部を開閉する連結部と、ハンドルに回動自在に取り付けられ、ハンドルが接点部を閉じる位置に位置している際に、可動接触子が開極ばねの付勢力によって開極方向に移動しないように開極ばねの付勢力を受けるトリップリンクと、トリップリンクが開極ばねの付勢力に従って移動しないようにトリップリンクの移動を規制するラッチリンクと、異常電流を検出した際にラッチリンクによるトリップリンクの移動規制を解除して、開極ばねの付勢力によって可動接触子を開極方向へ移動させるトリップ動作を行わせるトリップ機構部と、トリップ動作が行われた際に、器体に設けられた表示孔にトリップ動作が行われたことを表示するトリップ表示部材とを備え、トリップ表示部材は、器体に設けられた支持部に、可動接点が固定接点に接離する方向にスライド移動自在に支持される被支持部と、開極方向においてトリップリンクに対向配置され、トリップリンクが開極ばねの付勢力により開極方向に移動した際に、トリップリンクによって開極方向に押圧されて、トリップ表示部材を開極方向に移動させるトリップ駆動片と、可動接触子が可動接点を固定接点に接触させるように移動する閉極方向において可動接触子に対向配置され、可動接触子が閉極方向に移動した際に、可動接触子によって閉極方向に押圧されて、トリップ表示部材を閉極方向に移動させる復帰駆動片と、トリップ表示部材が開極方向に移動した際に、表示孔から器体外部に臨むように移動されて表示孔にトリップ動作が行われたことを表示し、トリップ表示部材が閉極方向に移動した際に、表示孔から器体外部に臨まないように移動される表示部とを備えていることを特徴とする。
【０００７】
請求項２の回路遮断器の発明では、請求項１の構成に加えて、トリップ表示部材は、表示部が表示孔から器体外部に臨んでいない状態では、連結リンクにおける閉極方向側の部位に当接し、表示部が表示孔から器体外部に臨んでいる状態では、連結リンクにおける開極方向側の部位に当接し、トリップ動作時又はハンドルによる接点のオンオフ操作時には、連結リンクとの当接状態が解除される移動規制手段を備えていることを特徴とする。
【０００８】
請求項３の回路遮断器の発明では、請求項１又は２の構成に加えて、器体の支持部は、トリップ表示部材の被支持部をそのスライド方向に直交する方向から挟み込む一対の支持リブからなり、トリップ表示部材は、被支持部と所定間隔を隔てて平行するように設けられるとともに、各支持リブを被支持部とで狭持する係止爪部を有する一対の弾性片を備え、一対の支持リブにおいて被支持部と当接しない面には、一対の弾性片の係止爪部をそれぞれ係止する係止突起が設けられ、各係止突起は、表示部が表示孔から器体外部に臨んでいない状態では、閉極方向側の部位が係止爪部に当接し、表示部が表示孔から器体外部に臨んでいる状態では、開極方向側の部位が係止爪部に当接するように構成され、一対の弾性片は、トリップ駆動片又は復帰駆動片によりトリップ表示部材が移動される際に、係止爪部が係止突起を乗り越え可能な程度の弾性を有していることを特徴とする。
【発明の効果】
【０００９】
請求項１の回路遮断器の発明は、トリップ動作時には、トリップ駆動片がトリップリンクにより開極方向へ押圧されることでトリップ表示部材が開極方向へ移動して、表示部を表示孔から器体外部に臨ませてトリップ動作が行われていることを表示し、ハンドル操作により接点部を閉じた際には、復帰駆動片が可動接触子により閉極方向へ押圧されることでトリップ表示部材が閉極方向へ移動して、表示部を表示孔から器体外部に臨ませないようになっているから、短絡電流や過電流によってトリップ動作を行った際に、トリップ動作が行われたことを示す表示を行えるという効果を奏し、しかも従来のようにトリップ表示を行うために巻きばね等の弾性部材を用いなくて済むために、回路遮断器を組み立てる際に、巻きばね等の弾性部材をトリップ表示部材と器体の両者に引っ掛けた状態で他の部品の器体への組み込み等を行う必要がなくなり、これにより組立性を向上できるという効果を奏する。
【００１０】
請求項２の回路遮断器の発明は、移動規制手段によって、表示部が表示孔から器体外部に臨んでいない状態では、トリップ表示部材の開極方向への移動が規制され、表示部が表示孔から器体外部に臨んでいる状態では、トリップ表示部材の閉極方向への移動が規制されるから、トリップ表示部材の自重等によってトリップ表示部材が予期せずに移動して、例えばトリップ状態であるにもかかわらずトリップ表示部材が閉極方向に移動して表示部が表示孔から器体外部に臨まなくなることを防止でき、これによりトリップ動作による開極状態（オフ状態）と、ハンドル操作による開極状態を間違えることがなくなって、表示孔に正しい表示を行えるようになるという効果を奏する。
【００１１】
請求項３の回路遮断器の発明は、トリップ表示部材の一対の弾性片と、器体の一対の支持リブとによって、表示部が表示孔から器体外部に臨んでいない状態では、トリップ表示部材の開極方向への移動が規制され、表示部が表示孔から器体外部に臨んでいる状態では、トリップ表示部材の閉極方向への移動が規制されるから、トリップ表示部材の自重等によってトリップ表示部材が予期せずに移動して、例えばトリップ状態であるにもかかわらずトリップ表示部材が閉極方向に移動して表示部が表示孔から器体外部に臨まなくなることを防止でき、これによりトリップ動作による開極状態（オフ状態）と、ハンドル操作による開極状態を間違えることがなくなって、表示孔に正しい表示を行えるようになるという効果を奏する。
【発明を実施するための最良の形態】
【００１２】
以下、本発明の一実施形態について、図１〜図８を参照して説明する。尚、以下の実施形態の説明では、説明の簡略化のために図１における上方を回路遮断器の前方、図１における下方の回路遮断器の後方、図１における左方を回路遮断器の左方、図１における右方を回路遮断器の右方と規定し、図１における紙面に垂直な方向を回路遮断器の幅方向と規定する。
【００１３】
本実施形態の回路遮断器は、図１〜図３に示すように、ボディ１０及びカバー１１からなる器体１と、外部電源（図示せず）に電気的に接続するための電源側端子部２と、負荷等の電源線（図示せず）を接続するための負荷側端子部３と、器体１内の所定位置に固定される固定接点４０ａ及び固定接点４０ａに接離する可動接点４１ａからなる接点部Ｘと接点部Ｘの開閉操作（オンオフ操作）用のハンドル４２とを有する開閉機構部４と、電磁トリップ機構部５及び熱動トリップ機構部６からなり、異常電流を検出した際に開閉器後部４にトリップ動作を行わせるトリップ機構部と、固定接点４０ａと可動接点４１ａとの間に生じるアークを速やかに消弧するための消弧装置７と、器体１に設けられた表示孔１ｂにトリップ動作が行われたことを表示するためのトリップ表示部材８とを備えている。
【００１４】
まず、器体１に収納される電源側端子部２と、負荷側端子部３と、開閉機構部４と、電磁トリップ機構部５と、熱動トリップ機構部６と、消弧装置７と、トリップ表示部材８とについて説明する。
【００１５】
電源側端子部２は、電源用の導電バー（図示せず）を接続するためのものであって、図１〜図２に示すように、導電性を有する金属板から曲成され、電源用の導電バー（図示せず）を差込接続するための一対の刃受ばね２０ａ，２０ａを有する刃受部２０と、金属棒から曲成され、刃受ばね２０ａ，２０ａを外側から挟み込んで刃受ばね２０ａ，２０ａの移動範囲を規制する規制部２１とで構成されている。ここで、刃受部２０には前方に延出された端子部２０ｂが設けられており、この端子部２０ｂは編組線Ｈ１を用いて後述する固定端子板４０に接続される。
【００１６】
負荷側端子部３は、負荷用の電源線（図示せず）を接続するためのものであって、図１に示すように、負荷用の電源線を固定するための固定ねじ３０と、導電性を有する金属板を用いて、左右方向を軸方向とする角筒状に形成され、前壁部に固定ねじ３０用のねじ孔（図示せず）が設けられた端子金具３１と、導電性を有する金属板からなり、端子金具３１の後壁部における前面側に取り付けられる端子片３２とで構成されている。ここで、端子金具３１は、左右方向にそれぞれ突出する腕片３１ａ，３１ｂを有しており、一方の腕片３１ｂには、導電性を有する金属板からなる端子板３３が固着されており、この端子板３３は、熱動トリップ機構部６のバイメタル６０の他端側（後端側）に固着される。
【００１７】
開閉機構部４は、図１に示すように、器体１内の所定位置に固定される固定接点４０ａを有する固定端子板４０と、固定接点４０ａに接離する可動接点４１ａを有する可動接触子４１と、可動接触子４１に弾接されて可動接点４１ａが固定接点４０ａから離間する開極方向（図１における左方向）の付勢力を可動接触子４１に与える開極ばね４８と、器体１に回動自在に取り付けられ、固定接点４０ａ及び可動接点４１ａからなる接点部Ｘのオンオフ操作用のハンドル４２と、ハンドル４２に回動自在に取り付けられるハンドルリンク４３及び一端側がハンドルリンク４３に回動自在に取り付けられるとともに他端側が可動接触子４１に回動自在に取り付けられる連結リンク４４を有し、ハンドル４２の操作に応じて可動接触子４１を移動させて接点部Ｘをオンオフする連結部とを備えている。さらに、開閉機構部４は、ハンドル４２に回動自在に取り付けられ、ハンドル４２が接点部Ｘを閉じるオン位置に位置している際に、開極ばね４８の付勢力によって可動接触子４１が移動しないように開極ばね４８の付勢力を受けるトリップリンク４５と、トリップリンク４５が開極ばね４８の付勢力に従って移動しないようにトリップリンク４５の移動を規制するラッチリンク４６と、ハンドル４２用の復帰ばね４７と、開極ばね４８と、ハンドル４２を器体１に幅方向を回転軸として回動自在に取り付けるためのハンドル用軸部Ｓ１と、ラッチリンク４６を器体１に幅方向を回転軸として回動自在に取り付けるためのラッチ用軸部Ｓ２とを備えている。
【００１８】
ここで、復帰ばね４７は、一対の脚片を有するねじりコイルばね（トーションばね）であって、ハンドル４２に左回り方向（図１における反時計方向）の付勢力を与えるために用いられており、一方の脚片（図示せず）がハンドル４２に、他方の脚片４７ａがラッチリンク４６に係止される。また、開極ばね４８は、コイルスプリングであり、開極方向に可動接触子４１を付勢するために用いられている。
【００１９】
固定端子板４０は、導電性を有する金属板を用いて曲成されており、編組線Ｈ１が接続される横片部４０ｂと、横片部４０ｂの左端部から後方に垂設された縦片部４０ｃとを有する略Ｌ字状に形成されるとともに、縦片部４０ｃの左面側には固定接点４０ａが固着されている。さらに、縦片部４０ｃの後端部からは、左後方に向けてアーク走行部４０ｄが一体に延設されており、このアーク走行部４０ｄの先端部は、後述するアーク走行板７０に接続される。
【００２０】
可動接触子４１は、導電性を有する金属板を用いて曲成されており、一端部（後端部）に可動接点４１ａを備えるとともに、他端部（前端部）にばね受け片４１ｂを備えている。さらに、可動接触子４１の中間部には、幅方向で対向する一対の脚片４１ｃが左方に向けて一体に突設されており、各脚片４１ｃには、後述する連結リンク４４の第２の軸部４４ｂが幅方向に挿通される軸受け孔４１ｄが貫設されている。また、ばね受け片４１ｂには開極ばね４８の一端部に挿入されるばね座（図示せず）が一体に突設されている。さらに、可動接触子４１には、前後方向を長手方向とする長孔状の挿通孔（図示せず）が貫設されており、この挿通孔には、後述する引掛ピン５６の軸部５６ａが挿通される。加えて、可動接触子４１において可動接点４１ａよりも後端側の部位には、アーク走行片４１ｅが延設されている。
【００２１】
ハンドル４２は、合成樹脂製のものであって、図１に示すように、ハンドル４２を、器体１の幅方向を回転軸として器体１に回動自在に取り付けるためのハンドル用軸部Ｓ１が挿通される軸受け孔４２ａを有する本体部４２ｂと、軸受け孔４２ａを中心とした中心角が略１８０度の円弧状を有して本体部４２ｂの前端側に形成された摺動部４２ｃと、摺動部４２ｃの前面から前方に突設された操作部４２ｄと、本体部４２ｂの後端部から右後方向に突出された連結部４２ｅとを一体に備えている。また、連結部４２ｅの幅方向の両面には、ハンドルリンク４３を幅方向を回転軸として回動自在に取り付けるための軸部４２ｆが一体に突設されている。さらに、本体部４２ｂには、復帰ばね４７の一方の脚片（図示せず）が係止される係止部（図示せず）が設けられており、これにより復帰ばね４７より左回り方向（図１における反時計回り方向）の付勢力を得るようになっている。
【００２２】
ハンドルリンク４３は、合成樹脂や金属板を用いて略コ字状に形成されており、一端側に、ハンドル４２の連結部４２ｅに突設された軸部４２ｆに対応する軸受け孔４３ａが形成されるとともに、他端側に、後述する連結リンク４４の第１の軸部４４ａが幅方向に挿通される軸受け孔４３ｂが形成されている。
【００２３】
連結リンク４４は、金属材料を用いて形成されており、ハンドルリンク４３の軸受け孔４３ｂに挿入される前述の第１の軸部４４ａと、可動接触子４１の軸受け孔４１ｄに挿入される前述の第２の軸部４４ｂと、両軸部４４ａ，４４ｂを連結する連結部４４ｃとを一体に備えており、第２の軸部４４ｂは、第１の軸部４４ａよりも長く形成されており、これにより第２の軸部４４ｂの先部をボディ１０に設けられた後述するガイド溝１４内に挿入できるようにしている。
【００２４】
トリップリンク４５は、合成樹脂材料や金属材料を用いて、幅方向において対向する一対の平板部４５ａと、平板部４５ａをその長手方向一端側（後端側）で連結する被係止片４５ｂとを一体に備える略コ字状に形成されている。また一対の平板部４５ａ間の距離は、ハンドルリンク４３の幅方向の長さよりも長く設定されており、これにより一対の平板部４５ａ間の空間部が、ハンドル４２の連結部４２ｅ及びハンドルリンク４３を収納するための空間部として用いられるようになっている。さらに、各平板部４５ａの長手方向他端側（前端側）には、ハンドル用軸部Ｓ１が回転自在に挿通される軸受け孔４５ｃが形成されており、長手方向一端側（後端側）には、連結リンク４４の第１の軸部４４ｂが挿入される長孔状のガイド孔４５ｄが形成されている。ここで、ガイド孔４５ｄは、ハンドル４２により接点部Ｘをオンオフする際に、連結リンク４４の移動を妨げないような形状に形成されている。
【００２５】
ラッチリンク４６は、合成樹脂や金属板等を用いて形成されており、一端部（後端部）に電磁トリップ機構部５により押圧される第１の押圧片４６ａを備えるとともに、他端部（前端部）に熱動トリップ機構部６により押圧される第２の押圧片４６ｂを備えている。さらに、ラッチリンク４６の中間部には、幅方向において対向する一対の脚片４６ｃ，４６ｄが右方に向けて一体に突設されており、各脚片４６ｃ，４６ｄには、ラッチ用軸部Ｓ２が挿入される軸受け孔４６ｅが貫設されている。また、一方の脚片４６ｄには、ラッチ片４６ｆが右方に向けて一体に突設されており、ラッチ片４６ｆの先端部には、トリップリンク４５の被係合片４５ｂと係合する係合用切欠部４６ｇが形成されている。さらに、ラッチリンク４６の第２の押圧片４６ｂには、切欠部（図示せず）が設けられており、この切欠部の前側の内側面には、復帰ばね４７の他方の脚片４７ａを取り付けるため凹所（図示せず）が設けられており、これによりラッチリンク４６は、復帰ばね４７から左回り方向の付勢力を得るようになっている。
【００２６】
以上述べた固定端子板４０と、可動接触子４１と、ハンドル４２と、ハンドルリンク４３と、連結リンク４４と、トリップリンク４５と、ラッチリンク４６と、復帰ばね４７と、開極ばね４８と、ハンドル用軸部Ｓ１と、ラッチ用軸部Ｓ２とで開閉機構部４が構成されており、この開閉機構部４は、接点部Ｘが閉極している状態（固定接点４０ａに可動接点４１ａが接触している状態）において電路に過大な電流や、短絡電流が通過したときには、電磁トリップ機構部５や、熱動トリップ機構部６でラッチリンク４６が押圧されることにより、接点部Ｘを開極させる（可動接点４１ａを固定接点４０ａから離間させる）トリップ動作を行うように構成されている。
【００２７】
電磁トリップ機構部５は、円筒状のコイルボビン５０と、コイルボビン５０の外周面に巻装されるコイル５１と、コイルボビン５０内の左端側に設けられた固定鉄芯５２と、コイルボビン５０内の右端側に左右方向にスライド移動自在に設けられた可動鉄芯５３と、固定鉄芯５２と可動鉄芯５３との間に介装されるコイルスプリングからなる復帰ばね５４と、ラッチリンク４６の第１の押圧片４６ａを左方へ押圧するための押圧ピン５５と、可動鉄芯５３の右端部に設けられた引掛ピン５６と、ヨーク５７とで構成されている。
【００２８】
ここで、ヨーク５７は、磁性体を用いて略コ字状に形成されており、左右方向で対向する一対の磁性片５７ａ，５７ｂと、一対の磁性片５７ａ，５７ｂを連結する連結片５７ｃとを一体に備えており、一対の磁性片５７ａ，５７ｂ間にコイルボビン５０が配置される。また、左方の磁性片５７ａには、押圧ピン５５が挿通可能な挿通孔（図示せず）が形成され、右方の磁性片５７ｂには、後述する可動鉄芯５３の右端部が突出可能な孔部（図示せず）が形成されている。
【００２９】
コイルボビン５０は、絶縁性を有する合成樹脂等を用いて円筒状に形成されており、その両端部には、コイル５１の位置規制用のフランジ部５０ａが一体に設けられている。コイル５１は、絶縁被覆電線等が用いられており、コイルボビン５０の外周面に巻装されている。このコイル５１は、一端が可動接触子４１のばね受け片４１ｂの左面部に接続され、他端が後述する熱動トリップ機構部６のバイメタル６０の左面部に編組線Ｈ２を介して接続される。
【００３０】
固定鉄芯５２は、磁性材料を用いて円柱状に形成されており、その中心部には、押圧ピン５５が左右方向に移動自在に挿通される押圧ピン挿通孔５２ａが形成されている。そして、この固定鉄芯５２は、コイルボビン５０内の左端側に収納されるとともに、ヨーク５７の磁性片５７ａに固定される。可動鉄芯５３は、磁性材料を用いて円柱状に形成されており、右端部が中央部よりも狭径に形成されている。この可動鉄芯５３は、固定鉄芯５２との間に復帰ばね５４が介装された状態で、コイルボビン５０内に収納される。
【００３１】
押圧ピン５５は、固定鉄芯５２の押圧ピン挿通孔５２ａの内径と略同様の外径に形成されている。また、押圧ピン５５は、押圧ピン挿通孔５２ａの長さよりも長く形成されるとともに、可動鉄芯５３が固定鉄芯５２から離間した状態では、左端部がヨーク５７の磁性片５７ａから左方へ突出しないような長さに形成されている。つまり、押圧ピン５５は、可動鉄芯５３が固定鉄芯５２に接触するように左方へ移動したときに、その左端部がヨーク５７の磁性片５７ａの挿通孔を通して左方に突出されるように構成されている。
【００３２】
引掛ピン５６は、可動鉄芯５３の右端部に取り付けられており、可動接触子４１の挿通孔（図示せず）を挿通する軸部５６ａと、可動接触子４１の挿通孔を挿通できない大きさを有して軸部５６ａの右端部に形成される引掛部５６ｂとを有している。
【００３３】
以上述べたコイルボビン５０と、コイル５１と、固定鉄芯５２と、可動鉄芯５３と、復帰ばね５４と、押圧ピン５５と、引掛ピン５６と、ヨーク５７とで電磁トリップ機構部５は構成されており、以下にその動作について説明する。
【００３４】
電磁トリップ機構部５は、コイル５１に電流が流れていない状態（初期状態）では、可動鉄芯５３が復帰ばね５４の付勢力によって固定鉄芯５２から離間してコイルボビン５０内の右端側に位置しており、このとき可動鉄芯５３の右端部がヨーク５７の右方の磁性片５７ｂから右方へ突出するとともに、押圧ピン５５がコイルボビン５０内に位置している。
【００３５】
そして、コイル５１に通電すると、固定鉄芯５２−ヨーク５７−可動鉄芯５３を通る磁路の磁気抵抗を小さくするように可動鉄芯５３に対して固定鉄芯５２との間で吸引力が作用し、このときコイル５１に流れる電流が短絡電流等の過大な電流である場合には、復帰ばね５４の付勢力に抗して可動鉄芯５３が固定鉄芯５２側（左端側）へ移動することになる。このとき、可動鉄芯５３によって押圧ピン５５が左方へ押されて、押圧ピン５５の左端部がヨーク５７の左方の磁性片５７ａの挿通孔から左方へ突出し、これによりラッチリンク４６の第１の押圧片４６ａが左方へ押圧されることになる。また、可動鉄芯５３の移動に伴って引掛ピン５６が左方に移動することになる。この後にコイル５１に流れる電流が小さくなると、復帰ばね５４の付勢力によって可動鉄芯５３が右方へ移動させられ、上記の初期状態へと復帰する。
【００３６】
熱動トリップ機構部６は、バイメタル６０と、バイメタル６０の先端部（前端部）に螺着されて、ラッチリンク４６の第２の押圧片４６ｂを右方へ押圧する調節ねじ６１とで構成されている。バイメタル６０は、自己発熱によって湾曲する形式の直熱型や、板状のヒータが積層されヒータによる加熱で湾曲する傍熱型のものを用いることができる。
【００３７】
調節ねじ６１は、バイメタル６０からラッチリンク４６側（右側）への突出量を調節することによって、熱動トリップ機構部６の動作感度（すなわち、熱動トリップ機構部６が作動するときの電路の通過電流）がばらつかないように調節するためのものである。これは、バイメタル６０の通過電流に対する湾曲の程度（動作感度）が、バイメタル６０の素材のばらつきや編組線Ｈ２の接続位置等によって変化するためである。
【００３８】
以上述べたバイメタル６０と、調節ねじ６１とで熱動トリップ機構部６は構成されており、以下にその動作について説明する。
【００３９】
熱動トリップ機構部６は、バイメタル６０に電流が流れていない状態では、バイメタル６０が湾曲せず、バイメタル６０の先端部の調節ねじ６１はどの部材とも当接していないが、電路を通過する過大な電流によってバイメタル６０の温度が上昇すると、やがてバイメタル６０が湾曲して、調節ねじ６１がラッチリンク４６の第２の押圧片４６ｂを右方へ押圧することになる。この後にバイメタル６０に流れる電流が小さくなると、バイメタル６０の温度が下降してバイメタル６０が湾曲の度合いが小さくなり、やがてバイメタル６０の先端部の調節ねじ６１がどの部材とも当接しない状態に戻る。
【００４０】
消弧装置７は、前述のアーク走行板７０と、消弧グリッド７１とで構成されている。アーク走行板７０は、導電性を有する金属板から曲成され、固定端子板４０のアーク走行部４０ｄに固着される固着片７０ａと、固着片７０ａの左端側から左方へ延設されて、前後方向においてヨーク５７の連結片５７ｃと重複する消弧片７０ｂとを一体に備えている。また、消弧片７０ｂは、固着片７０ａから離れるに従って幅を段階的に広げる形状に形成されている。消弧グリッド７１は、前後方向に所定の間隔を隔てて平行配置された複数（本実施形態では８枚）の矩形状の導電板からなる消弧板７１ａと、消弧板７１ａの幅方向における両面と、左面とをそれぞれ覆う絶縁材料製の支持板７１ｂとで構成されている。ここで、各消弧板７１ａには可動接触子４１のアーク走行片４１ｅが挿入される切欠部（図示せず）が形成されている。そして、この消弧グリッド７１は、アーク走行板７０の消弧片７０ｂとヨーク５７の連結片５７ｃのそれぞれに消弧板７１ａが平行するようにして、アーク走行板７０の消弧片７０ｂとヨーク５７の連結片５７ｃとの間に配設される。
【００４１】
以上述べたアーク走行板７０と消弧グリッド７１により消弧装置７が構成されており、この消弧装置７によれば、可動接点４１ａが固定接点４０ａから離れる際にアークが生じた場合に、アークを引き伸ばして消弧することができる。尚、消弧装置７は従来周知のものを用いることができるから、本実施形態では詳細な説明を省略する。
【００４２】
トリップ表示部材８は、器体１の表示孔１ｂに、トリップ動作が行われたか否かの表示を行うために用いられる部材であって、図１に示すように、合成樹脂を用いて形成され、左右方向を長手方向とする長尺状を有し器体１に左右方向にスライド自在に支持される被支持部８０と、被支持部８０の左端部から左前方向に延設された斜片部８１と、斜片部８１の左端部から左方に延設される先部８２と、被支持部８０の右端部に設けられる基部８３と、基部８３から左前方向に延設された延設部８４と、延設部８４の先端部（前端部）に設けられた表示部８５とを一体に備えている。
【００４３】
また、図４に示すように、被支持部８０においてボディ１０と対向する面には、トリップ表示部材８を左右方向にスライド移動させるために用いられるガイド片８０ａが設けられている。斜片部８１には、可動接触子４１の中間部の右面に対向配置される復帰駆動片８１ａが設けられており、この復帰駆動片８１ａは、ハンドル４２の回動動作によって可動接触子４１が右方へ移動する際に、トリップ表示部材８を右方に移動させるために用いられる。
【００４４】
先部８２には、その左端部に、トリップリンク４５の被係合部４５ｂの左面に対向配置されるトリップ駆動片８２ａが設けられており、このトリップ駆動片８２ａは、トリップリンク４５が開極ばね４８の付勢に従って右回りに回転した際に、トリップ表示部材８を左方に移動させるために用いられる。また、先部８２の後面部には、連結リンク４４の第１の軸部４４ａに係止されることで、トリップ表示部材８の自重等によって予期せずトリップ表示部材８が移動してしまうことを防止するための移動規制手段となる略三角形状の係止突部８２ｂが設けられている。この係止突部８２ｂは、トリップ表示部材８が右方に位置して表示孔１ｂから表示部８５が臨んでいないときに、連結リンク４４の第１の軸部４４ａの右面部（連結リンク４４における閉極方向側の部位）に当接してトリップ表示部材８の左方への移動を規制し、トリップ表示部材８が左方に位置して表示孔１ｂから表示部８５が臨んでいるときに、連結リンク４４の第１の軸部４４ａの左面部（連結リンク４４における開極向側の部位）に当接してトリップ表示部材８の右方への移動を規制するように構成されている。
【００４５】
基部８３には、被支持部８０と所定間隔を隔てて平行するとともに、後述する支持リブ１８，１８を被支持部８０との間で挟む一対の弾性片８３ａ，８３ａが一体に突設されている。この弾性片８３ａ，８３ａの各規制片８３ａの先端（左端）には、被時支部８０側に突出する係止爪部８３ｂが設けられている。また、一対の弾性片８３ａ，８３ａは、トリップ駆動片８２ａ又は復帰駆動片８１ａによりトリップ表示部材８が移動される際に、係止爪部８３ｂ，８３ｂが後述する係止突起１８ａ，１８ａを乗り越え可能な程度の弾性を有するように構成されている。
【００４６】
表示部８５は、器体１の表示孔１ｂと同程度の大きさを有する略矩形状に形成されており、この表示部８５の前面には、トリップ動作中を示す文字が印刷されたシール（図示せず）等が貼り付けられる。したがって、延設部８４は、トリップ表示部材８がその移動範囲内で最も左側に位置しているときのみ器体１の表示孔１ｂから表示部８５が外部に臨み、トリップ表示部材８がその移動範囲内で最も右側に位置しているときは器体１の表示孔１ｂから表示部８５が外部に臨まないように、その長さ寸法が設定されている。
【００４７】
以上述べた電源側端子部２と、負荷側端子部３と、開閉機構部４と、電磁トリップ機構部５と、熱動トリップ機構部６と、消弧装置７と、トリップ表示部材８とが収納される器体１は、図３に示すように、ボディ１０とカバー１１とをリベットＲを用いて結合することで構成されており、これらボディ１０とカバー１１は、ともに絶縁性を有する合成樹脂を用いて形成されている。
【００４８】
ボディ１０は、図１に示すように、幅方向の一方（図１における紙面手前方）の側壁が開口された箱状に形成されており、その前壁部の中央には、前記開口側が開放されたハンドル用切欠部１０ａが設けられている。また、ボディ１０の前壁部の右端側には、前記開口側が開放された表示用切欠部１０ｂが設けられ、左端側には、前記開口側が開放されたねじ用切欠部１０ｃが設けられている。加えて、ボディ１０の左壁部には、前記開口側が開放された負荷用切欠部１０ｄが設けられ、ボディ１０の後壁部における右端側には、前記開口側が開放された電源用切欠部１０ｅが設けられ、同じく後壁部における左端側には、回路遮断器を分電盤等に固定するための固定具１２を取り付けるための取付溝１０ｆが設けられている。加えて、ボディ１０の四隅には、幅方向に貫通するリベットＲ用の挿通孔１０ｇが設けられている。また、ボディ１０の右壁部においてバイメタル６０に螺合した調節ねじ６１に対向する部位には、調節用窓孔１０ｈが設けられるとともに、調節用窓孔１０ｈを閉塞するための閉塞板１３を取り付けるための取付溝１０ｉが設けられている。
【００４９】
このボディ１０の内部には、ボディ１０の後方に凸となる弧状の前述のガイド溝１４が設けられており、このガイド溝１４には、連結リンク４４の第２の軸部４４ｂの先部が挿入され、これにより連結リンク４４の移動範囲がガイド溝１４により規制されることになる。さらに、ボディ１０の内部には、開極ばね４８の他端部を支持するばね受け凹所１５が設けられるとともに、可動接触子４１が開極ばね４８の付勢力によって開極方向に所定距離移動された際に、ばね受け片４１ｂの左面に当接することで可動接触子４１の左方向への移動を規制するストッパ部１６が設けられている。ここで、ばね受け片４１ｂとストッパ部１６との当接部位は、ばね受け片４１ｂのばね座よりも前方に位置するようにしいている。また、ボディ１０の内部には、幅方向を回転軸としてハンドル用軸部Ｓ１を回動自在に支持するハンドル用軸受け部（図示せず）と、幅方向を回転軸としてラッチ用軸部Ｓ２を回動自在に支持するラッチ用軸受け部（図示せず）が設けられている。
【００５０】
さらに、ボディ１０の内部には、図５に示すように、トリップ表示部材８の被支持部８０のガイド片８０ａが左右方向に移動自在に挿入されるスライド溝１７が設けられており、このスライド溝１７の近傍には、被支持部８０を前後から挟み込んでトリップ表示部材８を左右方向にスライド移動自在に支持する支持部となる前述の略矩形状の一対の支持リブ１８，１８が設けられている。
【００５１】
これら支持リブ１８，１８において被支持部８０と当接しない面には、トリップ表示部材８の係止爪部８３ｂ，８３ｂをそれぞれ係止して、トリップ表示部材８の自重等によって予期せずトリップ表示部材８が移動してしまうことを防止するための前述の略三角形状の係止突起１８ａ，１８ａが設けられている。そして、各係止突起１８ａ，１８ａは、トリップ表示部材８が右方に位置して表示孔１ｂから表示部８５が臨んでいないときには、各係止突起１８ａ，１８ａの右面部（係止突起１８ａにおける閉極方向側の部位）に、各規制片８３ａ，８３ａの係止爪部８３ｂ，８３ｂがそれぞれ当接されることで、トリップ表示部材８の左方への移動を規制し、トリップ表示部材８が左方に位置して表示孔１ｂから表示部８５が臨んでいるときには、各係止突起１８ａ，１８ａの左面部（係止突起１８ａにおける開極方向側の部位）に各規制片８３ａ，８３ａの係止爪部８３ｂ，８３ｂがにそれぞれ当接されることで、トリップ表示部材８の右方への移動を規制するように構成されている。
【００５２】
また、ボディ１０の内部において表示用切欠部１０ｃの後方には、トリップ表示部材８の表示部８５の後面に当接して、表示部８５の左右方向のスライド移動をガイドするガイド片１９が設けられている。さらに、ボディ１０の内部におけるハンドル用切欠部１０ａの近傍には、ハンドル４２の摺動部４２ｃの前面が摺接されるリブ（図示せず）が設けられている。
【００５３】
一方、カバー１１は、ボディ１０の前記開口を閉塞するようにしてボディ１０に被着されるものであり、幅方向の他方（図３における右上側）が開口するとともに、ボディ１０と略同寸法の箱状に形成されている。このカバー１１の前壁部には、ハンドル用切欠部１０ａとともにハンドル用開口部１ａを構成するハンドル用切欠部１１ａと、ボディ１０の表示用切欠部１０ｂとともに表示孔１ｂを構成する表示用切欠部１１ｂと、ボディ１０のねじ用切欠部１０ｃとともにねじ用開口部１ｃを構成するねじ用切欠部１１ｃとが設けられている。また、カバー１１の左壁部には、ボディ１０の負荷用切欠部１０ｄとともに負荷用開口部１ｄを構成する負荷用切欠部１１ｄが設けられ、後壁部には、ボディ１０の電源用切欠部１０ｅとともに電源用開口部１ｅを構成する電源用切欠部（図示せず）と、ボディ１０の取付溝１０ｆと連通する取付溝（図示せず）とが設けられている。
【００５４】
さらに、カバー１１の内部には、ボディ１０のハンドル用軸受け部及びラッチ用軸受け部にそれぞれ対応して、ハンドル用軸部Ｓ１とラッチ用軸部Ｓ２とを、それぞれ幅方向を回転軸として回動自在に支持する軸受け部（図示せず）が設けられている。さらに、カバー１１には、ボディ１０のリベットＲ用の挿通孔１０ｇにそれぞれ対応するリベットＲ用の挿通孔１１ｇが幅方向に間接されており、ボディ１０とカバー１１の両挿通孔１０ｇ，１１ｇにリベットＲを通すことでボディ１０とカバー１１とを結合できるようになっている。
【００５５】
以上述べた部材により本実施形態の回路遮断器は構成されており、各部材は次のようにして器体１に収納されている。
【００５６】
ボディ１０には、図５に示すように、電源用切欠部１０ｅから刃受ばね２０ａ，２０ａを突出させた状態で刃受部２０が収納されるとともに、刃受部２０の刃受ばね２０ａ，２０ａを外側から挟み込むようにして規制部２１が収納されることにより電源側端子部２が構成され、この電源側端子部２によれば、刃受ばね２０ａ，２０ａ間に導電バー（図示せず）を差込接続することによって、外部の電源を接続することが可能となる。また、ボディ１０の負荷側切欠部１０ｄ近傍には、端子金具３１が収納され、この端子金具３１の後壁部における前面側には端子片３２が取り付けられる。そして、端子金具３１の前壁部に設けられたねじ孔には、ねじ用切欠部１０ｃを介して固定ねじ３０が螺着されるとともに、端子金具３１の一方の腕片３１ｂに端子板３３が固着されることで負荷側端子部３が構成され、この負荷側端子部３によれば、固定ねじ３０と端子片３２とで負荷側の電源線を挟み込むことによって電源線を接続することが可能となる。
【００５７】
このようにして各端子部２，３が収納されたボディ１０には、開閉機構部４を構成する各部品が次のようにして収納されている。固定端子板４０は、固定接点４０ａを左方に向けた状態でボディ１０内に収納され、横片部４０ｂは、電源側端子部２の刃受部２０の端子部２０ｂに編組線Ｈ１を用いて接続されている。そして、ボディ１０には、可動接触子４１と、ハンドル４２と、ハンドルリンク４３と、連結リンク４４と、トリップリンク４５とが収納されるのであるが、これらは予め相互に連結された状態でボディ１０に収納されている。すなわち、ハンドル４２の連結部４２ｅの軸部４２ｆは、ハンドルリンク４３の軸受け孔４３ａに軸支され、トリップリンク４５は、ハンドル４２の軸受け孔４２ａに軸受け孔４５ｃを連通させるとともに、ハンドルリンク４３の軸受け孔４３ｂにガイド孔４５ｄを連通させた状態で、連結リンク４４の第１の軸部４４ａがガイド孔４５ｂ及び軸受け孔４３ｂに挿入され、連結リンク４４の第２の軸部４４ｂは、可動接触子４１の軸受け孔４１ｄに挿入されている。
【００５８】
このように互いに連結された可動接触子４１と、ハンドル４２と、ハンドルリンク４３と、連結リンク４４と、トリップリンク４５とは、可動接触子４１の可動接点４１ａを固定接点４０ａに対向させた状態で、ハンドル４２の軸受け孔４２ａとトリップリンク４５の軸受け孔４５ｃとを挿通させたハンドル用軸部Ｓ１をボディ１０の前記のハンドル用軸受け部に軸支させるとともに、連結リンク４４の第２の軸部４４ｂの先部をガイド溝１４内に挿入することで、ボディ１０に収納されている。また、同時に、復帰ばね４７が、一方の脚片（図示せず）をハンドル４２の本体部４２ｂの係止部（図示せず）に係止された状態でボディ１０内に収納されている。開極ばね４８は、可動接触子４１のばね受け片４１ｂのばね座が一端部に挿入されるとともに、ボディ１０のばね受け凹所１５に他端部が収納された状態で、ボディ１０に収納され、これにより可動接触子４１を開極方向に向けて付勢するようになっている。ラッチリンク４６は、両脚片４６ｃ，４６ｄの軸受け孔４６ｅに挿通させたラッチ用軸部Ｓ２を、ボディ１０の前記のラッチ用軸受け部に軸支させることでボディ１０に取り付けられる。同時に、ラッチリンク４６の前記凹所内に復帰ばね４７の他方の脚片４７ａを挿入し、これによりハンドル４２及びラッチリンク４６は、復帰ばね４７により左回り方向（図５における反時計回り方向）に付勢される。
【００５９】
電磁トリップ機構部５は、押圧ピン５５をラッチリンク４６の第１の押圧部４６ａの右面に対向させるとともに、引掛ピン５６の軸部５６ａを可動接触子４１の挿通孔に挿通させた状態で、ボディ１０内に収納されている。さらに、電磁トリップ機構部５のコイル５１は、一端が可動接触子４１のばね受け片４１ｂの左面部に接続されている。
【００６０】
熱動トリップ機構部６は、バイメタル６０の一端側の調節ねじ６１を、ラッチリンク４６の第２の押圧部４６ｂの左面部に対向させた状態で、バイメタル６０の他端側を電源側端子部３の端子板３３に固着することによってボディ１０に収納され、この熱動トリップ機構部６のバイメタル６０の左面部には、編組線Ｈ２の一端が接続され、編組線Ｈ２の他端は、電磁トリップ機構部５のコイル５１の他端に接続されている。
【００６１】
消弧装置７は、アーク走行板７０の固着片７０ａを固定端子板４０のアーク走行部４０ｄの先端に固着するとともに、アーク走行板７０の消弧片７０ｂを電磁トリップ機構部５の後方に位置させるとともに連結片５７ｃに平行配置し、アーク走行板７０の消弧片７０ｂと連結片５７ｃとの間に、消弧グリッド７１を配置することによって、ボディ１０内に収納されている。
【００６２】
以上により図５に示すようにボディ１０内に、電源側端子部２と、負荷側端子部３と、開閉機構部４と、電磁トリップ機構部５と、熱動トリップ機構部６と、消弧装置７とが収納され、この後に、図４に示すトリップ表示部材８がボディ１０内に次のようにして収納される。すなわち、トリップ表示部材８は、被支持部８０のガイド８０ｂをボディ１０のガイド溝１７内に挿入するとともに、被支持部８０をボディ１０の一対の支持リブ１８，１８間に挿入し、且つ表示部８５をボディ１０の前壁部とガイド片１９との隙間に挿入する。これによりトリップ表示部材８は、ボディ１０に、可動接点４１ａが固定接点４０ａに接離する方向（左右方向）にスライド移動自在に支持された状態で収納される。そして、この状態では、図２に示すように、トリップ表示部材８のトリップ駆動片８２ａが、開極方向（図２における左方向）においてトリップリンク４５の被係合部４５ｂに対向配置されており、また、復帰駆動片８１ａが、閉極方向（図２における右方向）において可動接触子４１の中間部に対向配置されている。
【００６３】
したがって、トリップリンク４５が開極ばね４８の付勢力により開極方向に移動した際には、トリップ駆動片８２ａがトリップリンク４５によって開極方向に押圧されることによって、トリップ表示部材８が開極方向に移動し、これにより表示部８５が開極方向に移動して、表示部８５が表示孔１ｂから器体１外部に臨むことになる。また、可動接触子４１が閉極方向に移動した際には、復帰駆動片８１ａが可動接触子４１によって閉極方向に押圧されることによって、トリップ表示部材８が閉極方向に移動し、これにより表示部８５が閉極方向に移動して表示孔１ｂから器体１外部に臨まなくなる（つまり、表示部８５が器体１の前壁部の後方に隠れることになる）。
【００６４】
このように、トリップ表示部材８は、トリップ駆動片８２ａと、復帰駆動片８１ａとによってスライド移動させられるので、従来のように巻きばね等の弾性部材を用いる必要がない。
【００６５】
最後に、カバー１１をボディ１０に、軸部Ｓ１，Ｓ２を各軸受け部（図示せず）に軸支させた状態で被着し、ボディ１０とカバー１１の両挿通孔１０ｇ，１１ｇにリベットＲを通してボディ１０とカバー１１とを結合することによって、図３に示す回路遮断器が得られる。
【００６６】
以上により本実施形態の回路遮断器は構成されており、この回路遮断器では、電源側端子部２、編組線Ｈ１、固定端子板４０、接点部Ｘ（固定接点４０ａ及び可動接点４１ａ）、可動接触子４１、電磁トリップ機構部５のコイル５１、編組線Ｈ２、熱動トリップ機構部６のバイメタル６０、負荷側端子部３からなる電路が構成されており、接点部Ｘの開閉に応じて電源側端子部２と負荷側端子部３との間の通電がオンオフされるようになっている。
【００６７】
以下に、回路遮断器の動作について説明する。図２は、接点部Ｘが閉極している状態を示しており、ハンドル４２を右回り方向（図２における時計回り方向）に回動させて、操作部４２ｄを右方向に倒してある。
【００６８】
この状態では、ラッチリンク４６は、復帰ばね４７の付勢力によって左回り方向（図２における反時計方向）に付勢されて、電磁トリップ機構部５の押圧ピン５５に第１の押圧部４６ａ、熱動トリップ機構部６の調節ねじ６１に第２の押圧部４６ｂがそれぞれ対向した状態に保持されている。トリップリンク４５は、ガイド孔４５ｄに連結リンク４４の第１の軸部４４ａが挿通されているために、可動接触子４１が受ける開極ばね４８の付勢力を、連結リンク４４を介して受ける。これによりトリップリンク４５は、ハンドル用軸部Ｓ１中心に左回り方向に付勢され、これに伴って被係合部４５ｂが開極方向に付勢されることになる。そして、このように開極ばね４８により開極方向に付勢されたトリップリンク４５の被係合部４５ｂは、ラッチリンク４６の係合用切欠部４６ｇに係合されることで、開極方向への移動が規制される。
【００６９】
この状態では、トリップリンク４５が、ハンドル用軸部Ｓ１とラッチリンク４６とによって固定されているために、可動接触子４１にかかる開極ばね４８の付勢力をトリップリンク４５で受けており、これにより開極ばね４８の付勢力によって可動接触子４１が開極方向へ移動しないようになっている。
【００７０】
したがって、ハンドル４２の操作部４２ｄを右方向に倒してオン位置に位置させた際には、連結リンク４４の第１の軸部４４ａがトリップリンク４５のガイド孔４５ａに沿って後方へ移動し、これに伴って連結リンク４４の第２の軸部４４ｂがボディ１０のガイド溝４４に沿って閉極方向へ移動する。そして、第２の軸部４４ｂが閉極方向に移動すると、可動接触子４１も閉極方向に移動し、これにより可動接点４１ａが固定接点４０ａに接触することになる。
【００７１】
そして、ハンドル４２がオン位置に位置している状態では、ハンドルリンク４３及び連結リンク４４からなる連結部も定位置に固定されているため、可動接触子４１は連結リンク４４の第２の軸部４４ｂを中心として、開極ばね４８の付勢力により左回り方向に付勢されることになる。これにより、可動接点４１ａは開極ばね４８の付勢力に応じた接点圧で固定接点４０ａに接触されることになる。すなわち、開極ばね４８は、接点部Ｘの接圧ばねを兼用しているのである。
【００７２】
このとき、トリップ表示部材８の表示部８５が表示孔１ｂから器体１外部に臨んでおらず、この状態では、係止突部８２ｂが連結リンク４４の第１の軸部４４ａの右面部（連結リンク４４における閉極方向側の部位）に当接することによって、トリップ表示部材８の左方（すなわち開極方向）への移動が規制されている。さらに、ボディ１０の各係止突起１８ａ，１８ａの右面部に、各規制片８３ａ，８３ａの係止爪部８３ｂ，８３ｂがそれぞれ当接することによっても、トリップ表示部材８の左方への移動が規制されている。そのため、トリップ表示部材８の自重等によってトリップ表示部材８が予期せずに移動することがなくなり、例えばトリップ動作を行っていないにもかかわらず表示孔１ｂにトリップ動作を行ったことを示す表示が行われてしまうことを防止できる。
【００７３】
以上述べた図２に示す閉極状態では、接点部Ｘがオンとなり、電源側端子部２と負荷側端子部３とが通電される。
【００７４】
そして、この状態から、操作部４２ｄを左方向に倒してハンドル４２を左回り方向に移動させる（つまり、ハンドル４２をオフ位置に移動させる）と、図６に示すように、ハンドル４２の連結部４２ｅが右方に移動される。これに伴って軸部４２ｆが前方に移動し、その結果、ハンドルリンク４３が軸部４２ｆを中心に右回り方向に回転して、連結リンク４４の第１の軸部４４ａがトリップリンク４５のガイド孔４５ｄに沿って前方へ引き上げられるとともに、第２の軸部４４ｂがボディ１０のガイド溝１４に沿って開極方向へと移動させられる。これにより可動接触子４１が開極方向へと移動して可動接点４１ａが固定接点４０ａから離間し、可動接触子４１が所定距離移動した後にばね受け片４１ｂの左面部がボディ１０のストッパ部１６に当接する。ここで、ばね受け片４１ｂのばね座は、ばね受け片４１ｂとストッパ部１６との当接部位よりも後方に位置しているから、開極ばね４８の付勢力によって、可動接触子４１は、図７に示すように、前記当接部位を回転中心として左回り方向に回動させられる。
【００７５】
以上述べた図７に示す開極状態では、接点部Ｘがオフとなっており、電源側端子部２と負荷側端子部３とが遮断される。
【００７６】
そして、この状態から、操作部４２ｄを右方向に倒してハンドル４２を右回り方向に移動させる（つまり、ハンドル４２をオン位置に移動させる）と、図６に示すようにハンドル４２の連結部４２ｅが右回り方向に移動され、これに伴って軸部４２ｆが後方に移動することで、ハンドルリンク４３が軸部４２ｆを中心に左回り方向に回転することになる。これにより、連結リンク４４の第１の軸部４４ａがトリップリンク４５のガイド孔４５ｄに沿って後方へ押し下げられていき、同時に第２の軸部４４ｂがボディ１０のガイド溝１４に沿って閉極方向へと移動し、やがて上述した図２に示す閉極状態に戻ることになる。
【００７７】
ところで、図２に示す閉極状態において、負荷側での短絡等により電磁トリップ機構部５のコイル５１に過大な電流が流れると、上述したように可動鉄芯５３が固定鉄芯５１に吸引され、これによりラッチリンク４６の第１の押圧部４６ａが押圧ピン５５により左方に押圧されることになる。このように第１の押圧部４６ａが左方に押圧されると、ラッチリンク４６は、ラッチ用軸部Ｓ２を中心にして右回り方向に回動することになる。また、開極状態において、過負荷状態になり熱動トリップ機構部６のバイメタル６０に過大な電流が流れてバイメタル６０が湾曲すると、調節ねじ６１の右端部によりラッチリンク４６の第２の押圧部４６ｂが右方に押圧されることになる。このように第２の押圧部４６ｂが右方に押圧されると、ラッチリンク４６は、ラッチ用軸部Ｓ２を中心にして右回り方向に回動することになる。
【００７８】
つまり、電磁トリップ機構部５又は熱動トリップ機構部６によって異常電流が検出された際には、ラッチリンク４６がラッチ用軸受部Ｓ２を中心にして右回り方向に回動することになる。この場合、図８に示すように、ラッチリンク４６のラッチ片４６ｆが後方へ移動するため、トリップリンク４５の被係合部４５ｂとラッチリンク４６の係合用切欠部４６ｇとの係合状態が保たれなくなって、ラッチリンク４６によるトリップリンク４５の移動規制が解除され、これにより、開閉機構部４では、開極ばね４８の付勢力によって可動接触子４１を開極方向へ移動させるトリップ動作が行われる。
【００７９】
以下に、トリップ動作についてさらに詳しく説明する。ラッチリンク４６によるトリップリンク４５の開極方向への移動規制が解除された際には、開極ばね４８の付勢によって可動接触子４１が開極方向へと移動させられ、これに伴って、連結リンク４４の第１の軸部４４ａがトリップリンク４５のガイド孔４５ｄに沿って前方へ移動する。尚、電磁トリップ機構部５によりトリップ動作が開始された際には、可動鉄芯５３の移動に伴って引掛ピン５６が開極方向に移動することで、引掛ピン５６の引掛部５６ｂによっても可動接触子４１が開極方向に移動されることになる。
【００８０】
そして、第１の軸部４４ａが前方に移動した際には、ハンドルリンク４３が第１の軸部４４ａを中心として右回り方向に回動し、これによりハンドル４２の軸部４２ｆが右方に移動させられて、図１に示すように、ハンドル４２の操作部４２ｄが左方向に倒されてハンドル４２がオフ位置に位置する。一方、電磁トリップ機構部５の可動鉄芯５３が初期位置（右端側の位置）に戻る、又はバイメタル６０が元の形状に戻った際には、上述したように復帰ばね４７の付勢力によりラッチリンク４６がラッチ用軸部Ｓ２を中心にして左回り方向に回動される。このとき、開極ばね４８の付勢力から開放されたトリップリンク４５が、ラッチ片４６によりハンドル用軸部Ｓ１を中心にして左回り方向に回動され、やがて図１に示すようにトリップリンク４５の被係合部４５ｂがラッチ片４５ｆの係合用切欠部４６ｇに再度係合することになる。
【００８１】
また、トリップ表示部材８のトリップ駆動片８２ａが、開極方向においてトリップリンク４５の被係合部４５ｂに対向配置されているので、トリップ動作時に、トリップリンク４５が開極ばね４８の付勢力により開極方向に移動した際には、トリップ駆動片８２ａがトリップリンク４５によって開極方向に押圧されることになる。このとき、連結リンク４４の第１の軸部４４ａが一時的に後方へ移動されることになるため、係止突部８２ｂが連結リンク４４の第１の軸部４４ａに当接しなくなり、これにより係止突部８２ｂと連結リンク４４によるトリップ表示部材８の移動規制が解除されている。さらに、一対の弾性片８３ａ，８３ａは、上述したように、トリップ駆動片８２ａ又は復帰駆動片８１ａによりトリップ表示部材８が移動される際に、係止爪部８３ｂ，８３ｂが後述する係止突起１８ａ，１８ａを乗り越え可能な程度の弾性を有しているので、トリップリンク４５の押圧によるトリップ表示部材８の移動を妨げることがないようになっている。したがって、トリップリンク４５によってトリップ駆動片８２ａが押圧されたトリップ表示部材８は、開極方向に移動していくことになる。このようにしてトリップ表示部材８が開極方向に移動していくと、表示部８５も開極方向に移動していき、やがて、図１に示すように、表示部８５が表示孔１ｂから器体１外部に臨むことになる。
【００８２】
そして、この状態では、トリップ表示部材８の係止突部８２ｂが連結リンク４４の第１の軸部４４ａの左面部（連結リンク４４における開極方向側の部位）に当接することによって、トリップ表示部材８の右方（すなわち閉極方向）への移動が規制されている。さらに、ボディ１０の各係止突起１８ａ，１８ａの右面部（係止突起１８ａにおける閉極方向側の部位）に、各規制片８３ａ，８３ａの係止爪部８３ｂ，８３ｂがそれぞれ当接することによっても、トリップ表示部材８の右方への移動が規制されている。そのため、トリップ表示部材８の自重等によってトリップ表示部材８が予期せずに移動することがなくなり、例えばトリップ動作後であるにもかかわらず、表示孔１ｂから表示部８５が器体１外部に臨まなくなってしまうことを防止できる。
【００８３】
以上述べた図１に示すトリップ動作終了後の状態では、接点部Ｘがオフとなるとともに、表示孔１ｂに表示部８５が臨んでおり、表示孔１ｂを見ることにより、トリップ動作が行われて接点部Ｘがオフになったことを知ることができる。
【００８４】
そして、図１に示す状態から、操作部４２ｄを右方向に倒してハンドル４２を右回り方向に回動させると、上述したように、ハンドル４２の連結部４２ｅが左方に移動され、これに伴って軸部４２ｆが後方に移動することで、ハンドルリンク４３が軸部４２ｆを中心に左回り方向に回転し、これにより連結リンク４４の第１の軸部４４ａがトリップリンク４５のガイド孔４５ｄに沿って後方へ押し下げられ、同時に第２の軸部４４ｂがボディ１０のガイド溝１４に沿って閉極方向へと移動し、やがて上述した図２に示す閉極状態に戻ることになる。
【００８５】
また、トリップ表示部材８の復帰駆動片８１ａが、閉極方向において可動接触子４１の中間部に対向配置されているので、可動接触子４１が閉極方向に移動した際には、復帰駆動片８１ａが可動接触子４１によって閉極方向に押圧される。このとき、連結リンク４４の第１の軸部４４ａが一時的に後方へ移動されることになるため、係止突部８２ｂが連結リンク４４の第１の軸部４４ａに当接しなくなり、これにより係止突部８２ｂと連結リンク４４によるトリップ表示部材８の移動規制が解除されている。さらに、一対の弾性片８３ａ，８３ａは、上述したように、トリップ駆動片８２ａ又は復帰駆動片８１ａによりトリップ表示部材８が移動される際に、係止爪部８３ｂ，８３ｂが後述する係止突起１８ａ，１８ａを乗り越え可能な程度の弾性を有しているので、トリップリンク４５の押圧によるトリップ表示部材８の移動を妨げることがないようになっている。
【００８６】
したがって、可動接触子４１によって復帰プ駆動片８１ａが押圧されたトリップ表示部材８は、閉極方向に移動していくことになる。このようにしてトリップ表示部材８が閉極方向に移動していくと、表示部８５も閉極方向に移動していき、やがて、図１に示すように、表示部８５が表示孔１ｂから器体１外部に臨まなくなる。
【００８７】
以上述べたように本実施形態の回路遮断器によれば、トリップ動作時には、トリップ駆動片８２ａがトリップリンク４５の被係合部４５ｂにより開極方向へ押圧されることでトリップ表示部材８が開極方向へ移動して、表示部８５を表示孔１ｂから器体１外部に臨ませてトリップ動作が行われていることを表示する一方、ハンドル４２の操作により接点部Ｘをオンした際には、復帰駆動片８１ａが可動接触子４１により閉極方向へ押圧されることでトリップ表示部材８が閉極方向へ移動して、表示部８５を表示孔１ｂから器体１外部に臨ませないようになっている。そのため、短絡電流や過電流によってトリップ動作を行った際に、トリップ動作が行われたことを示す表示を行えるという効果を奏する。また、トリップリンク４５により押圧されるトリップ駆動片８２ａと、可動接触子４１により押圧される復帰駆動片８１ａによってトリップ表示部材８の移動を行えるようになっているので、従来のようにトリップ表示を行うために巻きばね等の弾性部材を用いなくて済み、これにより回路遮断器を組み立てる際に、巻きばね等の弾性部材をトリップ表示部材８と器体１の両者に引っ掛けた状態で、他の部品の器体への組み込み等を行う必要がなくなって、組立性を向上できるという効果を奏する。
【００８８】
さらに、トリップ表示部材８に設けた係止突部８２ｂによって、表示部８５が表示孔１ｂから器体１外部に臨んでいない状態では、トリップ表示部材８の開極方向への移動が規制され、表示部８５が表示孔１ｂから器体１外部に臨んでいる状態では、トリップ表示部材８の閉極方向への移動が規制されるようになっているから、トリップ表示部材８の自重等によってトリップ表示部材８が予期せずに移動して、例えばトリップ動作後であるにもかかわらずトリップ表示部材８が閉極方向に移動して表示部８５が表示孔１ｂから器体１外部に臨まなくなることを防止でき、これによりトリップ動作によるオフ状態と、ハンドル操作によるオフ状態を間違えることがなくなって、表示孔１ｂに正しい表示を行えるようになるという効果を奏する。
【００８９】
加えて、トリップ表示部材８の一対の弾性片８３ａ，８３ａと、器体１の一対の支持リブ１８，１８に設けられた係止突起１８ａ，１８ａによっても、表示部８５が表示孔１ｂから器体１外部に臨んでいない状態では、トリップ表示部材８の開極方向への移動が規制され、表示部８５が表示孔１ｂから器体１外部に臨んでいる状態では、トリップ表示部材８の閉極方向への移動が規制されるから、ハンドル４２のオンオフ操作時のように連結リンク４４と係止突部８２ｂの係止状態が解除されてしまう場合でも、トリップ表示部材８の自重等によってトリップ表示部材８が予期せずに移動してしまうことをさらに防止できるようになり、常に表示孔１ｂに正しい表示を行えるようになるという効果を奏する。
【００９０】
尚、本実施形態の回路遮断器は、電磁トリップ機構部５と、熱動トリップ機構部６の両方を備えているものであるが、いずれか一方のみを備えているものでもあってもよいし、各トリップ機構部の構成は上記の例に限られるものではない。また尚、電源側端子部２や負荷側端子部３、開閉機構部４の構成も上記の例に限られるものではなく、状況に応じて好適なものを用いることができることは明らかである。
【図面の簡単な説明】
【００９１】
【図１】本発明の一実施形態の回路遮断器のトリップ動作終了後の状態を示す説明図である。
【図２】回路遮断器において接点部が閉じた状態を示す説明図である。
【図３】回路遮断器の斜視図である。
【図４】トリップ表示部材の斜視図である。
【図５】トリップ表示部材を取り付ける前の回路遮断器の説明図である。
【図６】回路遮断器においてハンドルを用いて接点部を開閉する途中の状態を示す説明図である。
【図７】回路遮断器においてハンドルを用いて接点部を開いた状態を示す説明図である。
【図８】回路遮断器においてトリップ動作中の状態を示す説明図である。
【符号の説明】
【００９２】
１    器体
１ｂ  表示孔
４０ａ  固定接点
４１    可動接触子
４１ａ  可動接点
４５    トリップリンク
８    トリップ表示部材
８０  被支持部
８１ａ  復帰駆動片
８２ａ  トリップ駆動片
８５  表示部
【図１】
0004700538.tif 000002
【図２】
0004700538.tif 000003
【図３】
0004700538.tif 000004
【図４】
0004700538.tif 000005
【図５】
0004700538.tif 000006
【図６】
0004700538.tif 000007
【図７】
0004700538.tif 000008
【図８】
0004700538.tif 000009